(57)【特許請求の範囲】
【請求項１】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末が接続され、車両に搭載される車載機器であって、
前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止させる車載機器。
【請求項２】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末が接続され、車両に搭載される車載機器であって、
前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止させる車載機器。
【請求項３】
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止させる請求項１記載の車載機器。
【請求項４】
前記選択誘導手段は、前記第３エリア判定手段によって前記端末機器の位置が前記第３エリア内に含まれると判定されたときに、前記メッセージ管理システムへの前記メッセージ情報の送信の際に前記地点情報を付与するか否かを選択させる選択画面を前記車載機器の表示部に表示させる表示制御手段を有する請求項３記載の車載機器。
【請求項５】
前記第１エリアは、予め定められた登録地点を含む多角形状のエリアである請求項３又は４に記載の車載機器。
【請求項６】
前記第１エリアは、予め定められた登録地点を含む円状のエリアである請求項３又は４に記載の車載機器。
【請求項７】
前記第１エリアは、ある領域の住所で表される区画エリアである請求項３又は４に記載の車載機器。
【請求項８】
前記第２エリア及び前記第３エリアの少なくとも一方が前記第１エリアと同形状のエリアである請求項５乃至７のいずれかに記載の車載機器。
【請求項９】
前記車両の位置を検出する車両位置検出手段を有し、
前記地点情報によって表される端末機器の位置として前記車両の位置を使用する請求項１乃至８のいずれかに記載の車載機器。
【請求項１０】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末と、車両に搭載され、前記携帯端末が接続される車載機器とを有する車載機器システムであって、
前記車載機器は、前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止させる車載機器システム。
【請求項１１】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末と、車両に搭載され、前記携帯端末が接続される車載機器とを有する車載機器システムであって、
前記車載機器は、前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止させる車載機器システム。
【請求項１２】
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止させる請求項１０記載の車載機器システム。
【請求項１３】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた車載機器であって、
前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止する投稿制御手段とを有し、
更に、前記地点情報で表される前記端末機器の位置が前記第１エリア内であって、当該第１エリアより狭い第２エリア内に含まれるか否かを判定する第２エリア判定手段を有し、
前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止する車載機器。
【請求項１４】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた車載機器であって、
前記地点情報によって表される前記端末機器の位置が予め定めた第１エリア内に含まれるか否かを判定する第１エリア判定手段と、
前記第１エリア判定手段によって前記地点情報で表される前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止する車載機器。
【請求項１５】
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止する請求項１３記載の車載機器。
【請求項１６】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた携帯端末であって、
前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止する投稿制御手段とを有し、
更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止する携帯端末。
【請求項１７】
所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた携帯端末であって、
前記地点情報によって表される前記端末機器の位置が予め定めた第１エリア内に含まれるか否かを判定する第１エリア判定手段と、
前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止する携帯端末。
【請求項１８】
更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、
前記投稿制御手段は、前記地点情報を付与しないことが選択されたときに、前記メッセージ管理システムへの前記メッセージ情報の送信の際に当該地点情報の付与を禁止する請求項１６記載の携帯端末。
【発明の詳細な説明】
【技術分野】
【０００１】
本発明は、Ｆａｃｅｂｏｏｋ（登録商標）、ツイッター（登録商標）等のソーシャル・ネットワーキング・サービス（ＳＮＳ）を提供するＳＮＳシステム等のように所定のネットワーク（例えば、インターネット）上において端末機器からメッセージ情報の提供を受けて、そのメッセージ情報を他の端末機器での閲覧に供するメッセージ管理システムにメッセージ情報を送るアプリケーションを備えた携帯端末及び当該携帯端末が接続される車載機器を有する車載機器システム、車載機器及び携帯端末に関する。
【背景技術】
【０００２】
従来、位置情報を含むメッセージの送受信が可能な通信システム及び通信装置（特許文献１）が提案されている。この通信システムは、送信側ナビゲーション装置が位置情報を含む電子メールの送信要求を検出すると、電子メールのヘッダ部に位置情報が含まれることをあらわす文字や符号等を書き込み、電子メールを送信するようになっている。この電子メールを受信側ナビゲーション装置にてヘッダ部の解析処理を行うことで、電子メールのヘッダ部に書き込まれた文字や符号等から位置情報を取得することができるようになっている。
【先行技術文献】
【特許文献】
【０００３】
【特許文献１】特開２００５−８４９９７号公報
【発明の概要】
【発明が解決しようとする課題】
【０００４】
ところで、特許文献１記載の通信システムによれば、利用者からの電子メール作成の要求により、電子メールを作成するメール作成画面を表示手段に表示しつつ、作成中の電子メールに位置情報を付加するか否かの選択ができるようになっている。これによって、電子メールに位置情報を付加することが利用者によって選択されたときに、当該電子メールに位置情報を付加した状態で送信できるようになり、当該電子メールを受信した受信側においてその位置情報の有無を確認しつつ的確に処理することで当該位置情報を取得し、また、利用することが可能となっている。
【０００５】
しかしながら、特許文献１記載の通信システムにおいては、電子メールを送信する相手方が特定された状態で送信されるのに対して、例えば、ＳＮＳ等のメッセージ管理システムに提供されるメッセージ情報は、不特定多数に向けて送信されることが多いのが実情である。これによって、例えば、そのメッセージ情報の内容及び地点情報の履歴から自宅が判明してしまったり、自己の行動パターンが予想されてしまったりなど、個人情報の流出が問題となっている。
【０００６】
本発明は、このような事情に鑑みてなされたもので、メッセージ情報及び地点情報を閲覧するに際して、閲覧に供されるメッセージ情報及び地点情報から読み取ることが可能な個人情報をより的確に保護することが可能な車載機器システム、車載機器及び携帯端末を提供するものである。
【課題を解決するための手段】
【０００７】
本発明に係る車載機器は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末が接続され、車両に搭載される車載機器であって、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止させる構成となる。
【０００８】
このような構成によれば、端末機器の位置を表わす地点情報の付与されたメッセージ情報をメッセージ管理システムに送る際に、地点情報によって表される端末機器の位置が予め定められた第１エリア内に含まれると判定されたときに、メッセージ管理システムへ送信されるメッセージ情報に地点情報を付与させることを禁止させるように携帯端末を制御する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報の付与されたメッセージ情報をメッセージ管理システムに送る際に、地点情報によって表される端末機器の位置が第１エリア内の当該第１エリアより狭い第２エリア内に含まれると判定されたときに、地点情報の付与が禁止されるメッセージ情報のメッセージ管理システムへの送信を禁止させるように携帯端末を制御する。これによって、第２エリア内でのメッセージ管理システムへのメッセージ送信ができなくなることから、第２エリア内におけるメッセージ情報及び地点情報の他の端末機器による閲覧を防止することができるようになる。
【０００９】
本発明に係る車載機器は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末が接続され、車両に搭載される車載機器であって、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリアの外側の所定範囲である第３エリア内に含まれるか否かを判定する第３エリア判定手段と、
前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止させる構成となる。
【００１０】
このような構成によれば、端末機器の位置を表わす地点情報の付与されたメッセージ情報をメッセージ管理システムに送る際に、地点情報によって表される端末機器の位置が予め定められた第１エリア内に含まれると判定されたときに、メッセージ管理システムへ送信されるメッセージ情報に地点情報を付与させることを禁止させるように携帯端末を制御する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与させることを禁止させるように携帯端末を制御する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００１１】
本発明に係る車載機器は、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記端末機器に前記メッセージ管理システムへの前記メッセージ情報の送信の際に当該地点情報の付与を禁止させる構成とすることができる。
【００１２】
このような構成によれば、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与させることを禁止させるように携帯端末を制御する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００１３】
本発明に係る車載機器において、前記選択誘導手段は、前記第３エリア判定手段によって前記端末機器の位置が前記第３エリア内に含まれると判定されたときに、前記メッセージ管理システムへの前記メッセージ情報の送信の際に前記地点情報を付与するか否かを選択させる選択画面を前記車載機器の表示部に表示させる表示制御手段を有する構成とすることができる。
【００１４】
このような構成によれば、地点情報の付与されたメッセージ情報をメッセージ管理システムに送る際に、地点情報によって表される端末機器の位置が第３エリアに含まれると判定されたときに、車載機器の表示部に当該地点情報を付与するか否かの選択画面を表示させるので、ユーザが選択画面を視認することで、より的確にメッセージ情報に地点情報を付与するか否かの選択を容易にすることができるようになる。
【００１５】
本発明に係る車載機器において、前記第１エリアは、予め定められた登録地点を含む多角形状のエリアである構成とすることができる。
【００１６】
このような構成によれば、第１エリアが予め定められた登録地点を含む多角形状のエリアで構成されることから、他の端末機器において、第１エリア外の地点情報の履歴から、予め定められた登録地点の位置を特定することを防止することができるようになる。
【００１７】
本発明に係る車載機器において、前記第１エリアは、予め定められた登録地点を含む円状のエリアである構成とすることができる。
【００１８】
このような構成によれば、第１エリアが予め定められた登録地点を含む円状のエリアで構成されることから、個人情報である登録地点の位置を地点情報としてメッセージ情報に付与することがないので、他の端末機器においてそのメッセージ情報から予め定められた登録地点の位置を特定することを防止することができるようになる。また、登録地点を中心とした円状のエリアを形成するようにしてもよい。
【００１９】
本発明に係る車載機器において、前記第１エリアは、ある領域の住所で表される区画エリアである構成とすることができる。
【００２０】
このような構成によれば、第１エリアがある領域の住所で表される区画エリアであるので、ある領域の住所地域内に端末機器の位置が含まれるときに、メッセージ情報に地点情報を付与することがないので、他の端末機器においてそのメッセージ情報からある領域の住所を特定することを防止することができるようになる。
【００２１】
本発明に係る車載機器において、前記第２エリア及び前記第３エリアの少なくとも一方が前記第１エリアと同形状のエリアである構成とすることができる。
【００２２】
このような構成によれば、第２エリア及び第３エリアの少なくとも一方が第１エリアと同形状のエリアで構成されるので、より広範囲において、他の端末機器においてそのメッセージ情報から予め定められた登録地点の位置及びある領域の住所のいずれかを特定することを防止することができるようになる。
【００２３】
本発明に係る車載機器において、前記車両の位置を検出する車両位置検出手段を有し、前記地点情報によって表される端末機器の位置として前記車両の位置を使用する構成とすることができる。
【００２４】
このような構成によれば、地点情報によって表される端末機器の位置として、車両の位置を使用するので、車載位置検出手段により検出された車両の位置を各エリア内に含まれるか否かの判定に用いることができるようになる。
【００２５】
本発明に係る車載機器システムは、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末と、車両に搭載され、前記携帯端末が接続される車載機器とを有する車載機器システムであって、前記車載機器は、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止させる構成となる。
【００２６】
このような構成によれば、地点情報によって表される端末機器の位置が予め定められた第１エリア内に含まれると判定されたときに、メッセージ管理システムへ送信されるメッセージ情報に地点情報を付与させることが禁止される。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報によって表される端末機器の位置が第１エリア内の当該第１エリアより狭い第２エリア内に含まれると判定されたときに、地点情報の付与が禁止されるメッセージ情報のメッセージ管理システムへの送信を禁止させるように携帯端末を制御する。これによって、第２エリア内でのメッセージ管理システムへのメッセージ送信ができなくなることから、第２エリア内におけるメッセージ情報及び地点情報の他の端末機器による閲覧を防止することができるようになる。
【００２７】
本発明に係る車載機器システムは、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備える携帯端末と、車両に搭載され、前記携帯端末が接続される車載機器とを有する車載機器システムであって、前記車載機器は、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止させる構成となる。
【００２８】
このような構成によれば、地点情報の付与されたメッセージ情報をメッセージ管理システムに送る際に、地点情報によって表される端末機器の位置が予め定められた第１エリア内に含まれると判定されたときに、メッセージ管理システムへ送信されるメッセージ情報に地点情報を付与させることを禁止させるように携帯端末を制御する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与させることを禁止させるように携帯端末を制御する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００２９】
本発明に係る車載機器システムにおいて、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止させる構成とすることができる。
【００３０】
このような構成によれば、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与させることを禁止させるように携帯端末を制御する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００３１】
本発明に係る車載機器は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた車載機器であって、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止する投稿制御手段とを有し、更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止する構成となる。
【００３２】
このような構成によれば、地点情報によって表される端末機器の位置（車載機器の搭載される車両の位置）が予め定められた第１エリア内に含まれると判定されたときに、メッセージ管理システムへ送信されるメッセージ情報に地点情報を付与させることを禁止する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報によって表される端末機器の位置が第１エリア内の当該第１エリアより狭い第２エリア内に含まれると判定されたときに、地点情報の付与が禁止されるメッセージ情報のメッセージ管理システムへの送信を禁止する。これによって、第２エリア内でのメッセージ管理システムへのメッセージ送信ができなくなることから、第２エリア内におけるメッセージ情報及び地点情報の他の端末機器による閲覧を防止することができるようになる。
【００３３】
本発明に係る車載機器は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた車載機器であって、前記地点情報によって表される前記端末機器の位置が予め定めた第１エリア内に含まれるか否かを判定する第１エリア判定手段と、前記第１エリア判定手段によって前記地点情報で表される前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止する構成となる。
【００３４】
このような構成によれば、地点情報の付与されたメッセージ情報をメッセージ管理システムに送る際に、地点情報によって表される端末機器の位置（車載機器の搭載される車両の位置）が予め定めた第１エリアに含まれると判定されたときに、メッセージ管理システムへ送信されるメッセージ情報に地点情報を付与することを禁止する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与することを禁止する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００３５】
本発明に係る車載機器において、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止する構成とすることができる。
【００３６】
このような構成によれば、端末機器の位置（車載機器の搭載される車両の位置）を表わす地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与することを禁止する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００３７】
本発明に係る携帯端末は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた携帯端末であって、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止する投稿制御手段とを有し、更に、前記地点情報で表される前記端末機器の位置が前記第１エリア内であって、当該第１エリアより狭い第２エリア内に含まれるか否かを判定する第２エリア判定手段を有し、前記投稿制御手段は、前記地点情報で表される前記端末機器の位置が前記第２エリアに含まれると判定されたときに、前記地点情報の付与が禁止されるメッセージ情報の前記メッセージ管理システムに対する送信を禁止する構成となる。
【００３８】
このような構成によれば、地点情報によって表される端末機器の位置（携帯端末の位置）が予め定められた第１エリア内に含まれると判定されたときに、メッセージ管理システムへ送信されるメッセージ情報に地点情報を付与させることを禁止する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報によって表される端末機器の位置が第１エリア内の当該第１エリアより狭い第２エリア内に含まれると判定されたときに、地点情報の付与が禁止されるメッセージ情報のメッセージ管理システムへの送信を禁止する。これによって、第２エリア内でのメッセージ管理システムへのメッセージ送信ができなくなることから、第２エリア内におけるメッセージ情報及び地点情報の他の端末機器による閲覧を防止することができるようになる。
【００３９】
本発明に係る携帯端末は、所定のネットワーク上において端末機器からメッセージ情報の提供を受けてそのメッセージ情報を他の端末機器での閲覧に供するメッセージ管理システムにメッセージ情報と共に当該端末機器の位置を表わす地点情報を送信するアプリケーションを備えた携帯端末であって、前記地点情報によって表される前記端末機器の位置が予め定めた第１エリア内に含まれるか否かを判定する第１エリア判定手段と、前記第１エリア判定手段によって前記端末機器の位置が前記第１エリア内に含まれると判定されたときに、前記アプリケーションによる前記メッセージ管理システムへのメッセージ情報の送信の際に前記地点情報の付与を禁止させる投稿制御手段とを有し、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止する構成となる。
【００４０】
このような構成によれば、地点情報の付与されたメッセージ情報をメッセージ管理システムに送る際に、地点情報によって表される端末機器の位置（携帯端末の位置）が予め定めた第１エリアに含まれると判定されたときに、メッセージ管理システムへ送信されるメッセージ情報に地点情報を付与することを禁止する。これによって、第１エリア内において、メッセージ管理システムに送信されるメッセージ情報には、地点情報が付与されないため、他の端末機器においてそのメッセージがいずれの場所から発せられたのかを特定することを防止することができるようになる。更に、地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与することを禁止する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【００４１】
本発明に係る携帯端末において、更に、前記地点情報で表される前記端末機器の位置が前記第１エリアの外側の所定範囲である第３エリア内に含まれるか否かを判定する第３エリア判定手段と、前記第３エリア判定手段によって前記地点情報で表される前記端末機器の位置が前記第３エリア内に含まれると判定されたときに、前記メッセージ管理システムへの前記メッセージ情報の送信の際に前記地点情報を付与するか否かの選択を促す選択誘導手段とを有し、前記投稿制御手段は、前記地点情報を付与しないことが選択されたときに、前記メッセージ管理システムへの前記メッセージ情報の送信の際に当該地点情報の付与を禁止する構成とすることができる。
【００４２】
このような構成によれば、端末機器の位置（携帯端末の位置）を表わす地点情報の付与されたメッセージ情報をメッセージ管理システムに送る際に、地点情報によって表される端末機器の位置が第１エリアより外側の所定範囲である第３エリアに含まれると判定されたときに、メッセージ管理システムへのメッセージ情報の送信の際に地点情報を付与するか否かの選択を促すことが可能となり、ユーザによってメッセージ情報に地点情報を付与しないことが選択されると、メッセージ管理システムへ送信されるメッセージ情報に地点情報を付与することを禁止する。これによって、ユーザの選択により、第３エリア内においてもメッセージ管理システムに送信されるメッセージ情報に地点情報が付与しないようにすることができるため、他の端末機器においてそのメッセージがいずれの場所から発せられたのかを特定することを防止することができるようになる。
【発明の効果】
【００４３】
本発明に係る車載機器システム、車載機器及び携帯端末によれば、端末機器の位置を表わす地点情報の付与されたメッセージ情報をメッセージ管理システムに送る際に、地点情報によって表される端末機器の位置が予め定められた第１エリア内に含まれると判定されたときに、メッセージ管理システムへ送信されるメッセージ情報に地点情報を付与させることが禁止される。これによって、第１エリア内において、メッセージ管理システムに送信されるメッセージ情報に地点情報を付与させないことで、他の端末機器においてそのメッセージがいずれの場所から発せられたのかを特定することを防止することができるので、メッセージ情報及び地点情報を閲覧するに際して、閲覧に供されるメッセージ情報及び地点情報から読み取ることが可能な個人情報をより的確に保護することが可能となる。
【図面の簡単な説明】
【００４４】
【図１】本発明に係る車載機器システムを構成する車載機器及びスマートフォン（端末機器）の構成を示すブロック図である。
【図２】図１に示すスマートフォンのホーム画面の一例を示す図である。
【図３Ａ】図１に示すスマートフォンに接続された車載機器の処理手順を示すフローチャート（その１）である。
【図３Ｂ】図１に示すスマートフォンに接続された車載機器の処理手順を示すフローチャート（その２）である。
【図４】図１に示す車載機器の表示部に表示される地点登録選択画面の一例を示す図である。
【図５】図１に示す車載機器に地点登録がなされた際の一例を示す図である。
【図６】図１に示す車載機器の記憶部に記憶されたエリアに関するテーブルを示す図である。
【図７】図１に示す車載機器の表示部に表示される登録地点及びそのエリア区分の一例を示す図（その１）である。
【図８】図１に示すスマートフォンにおいてＳＮＳアプリによる投稿画面の一例（その１）を示す図である。
【図９】図１に示すスマートフォンにおいてＳＮＳアプリによる投稿画面の一例（その２）を示す図である。
【図１０】図１に示すスマートフォンにおいてＳＮＳアプリによる投稿画面の一例（その３）を示す図である。
【図１１】図１に示すスマートフォンにおいてＳＮＳアプリによる投稿画面の一例（その４）を示す図である。
【図１２】図１に示すスマートフォンによって投稿されたメッセージが車載機器の表示部に表示された画面の一例を示す図である。
【図１３】図１に示す車載機器の表示部に表示されるジオタグ付与選択メッセージの一例を示す図である。
【図１４】車載機器の表示部に表示される登録地点及びそのエリア区分の一例を示す図（その２）である。
【図１５】登録地点から所定半径以内のみメッセージ投稿を禁止した場合におけるメッセージ投稿を行った地点を示す図である。
【図１６】本発明の第２の実施形態に係る車載機器の処理手順を示すフローチャートである。
【発明を実施するための形態】
【００４５】
以下、本発明の実施の形態について図面を用いて説明する。
【００４６】
本発明の実施の形態に係る車載機器システム、車載機器及びスマートフォン（携帯端末）は、図１に示すように構成される。
【００４７】
図１において、車載機器システムを構成する車載機器１００は、外部接続用のコネクタ１９を有しており、コネクタ１９にはケーブルによってスマートフォン２０（端末機器）が接続されるようになっている。車載機器１００は、コンピュータユニット（例えば、ＣＰＵ）にて構成される処理ユニット１１を有している。処理ユニット１１には、ＣＤ及びＤＶＤ等のディスク媒体から音楽や映像を再生するＡＶユニット１７及び車両ナビゲーションを行うナビゲーションユニット１８が接続されている。加えて、処理ユニット１１には、ＡＶユニット１７にて利用される情報、ナビゲーションユニット１８にて利用される情報（例えば、地図情報、施設情報、後述する記憶テーブル等）、及びその他各種処理に用いられる情報を記憶するための記憶部１４（例えば、ハードディスク）が接続されている。さらに、処理ユニット１１には車室内に設けられ、ＬＣＤ等による構成される表示部１３、ユーザによる操作が可能な操作ボタン及び表示部１３内に構成されるタッチパネル等からなる操作部１２、及び車室内に設けられたスピーカ１６に音声信号を供給する出力回路１５が接続されている。
【００４８】
スマートフォン２０がケーブルにて接続されるコネクタ１９は、処理ユニットに接続されている。処理ユニット１１は、ケーブル及びコネクタ１９を介すことで、スマートフォン２０と通信可能となっている。スマートフォン２０は、車載機器１００のナビゲーションユニット１８にて実行される車両ナビゲーション処理と同種の処理であるナビゲーション処理を実行可能なアプリケーションを備えている。さらに、スマートフォン２０は、情報検索アプリケーション、メッセージ投稿アプリケーション（例えば、ＳＮＳのアプリケーション）及びゲーム等の複数のアプリケーションを備えている。
【００４９】
スマートフォン２０は、各種アプリケーションソフトに従って各種の制御や処理を実行する。例えば、スマートフォン２０のＳＮＳ（ソーシャル・ネットワーキング・サービス）に関するアプリケーションを起動させると、スマートフォン２０内に搭載される不図示の通信ユニットが所定の移動体通信網を介してツイッター（登録商標）等のインターネット上でＳＮＳ（ソーシャル・ネットワーキング・サービス）を提供するＳＮＳシステムと通信可能となっている。このＳＮＳシステムは、インターネット上において端末機器からのメッセージ情報を受けて、そのメッセージ情報を他の端末機器での閲覧に供するメッセージ管理システムとして機能し得る。また、スマートフォン２０の表示部２０１（図２参照）は、ＬＣＤ等で構成され、スマートフォン２０内の処理により得られた各種の情報を表示する。また、スマートフォン２０の操作は、表示部２０１に一体的に設けられたタッチパネル等で構成され、ユーザによる操作（例えば、タッチパネル上での指の操作）に応じた操作が可能となっている。
【００５０】
また、スマートフォン２０は、不図示のＧＰＳユニットを有しており、これによって当該スマートフォン２０の位置（例えば、緯度（Ｘ）・経度（Ｙ））を検出することができるようになっている。スマートフォン２０が前述したＳＮＳアプリケーションを利用する際には、不図示のＧＰＳユニットによって取得したスマートフォン２０の位置を地点情報として、ＳＮＳシステムに投稿するメッセージ情報に付与することが可能となっている。なお、ＳＮＳシステムへ投稿されるメッセージ情報に地点情報を付与するか否かの設定は、予めユーザが設定することが可能となっており、スマートフォン２０がメッセージ情報に地点情報を付与する状態にあることをジオタグＯＮ状態と呼ぶ。これに対し、スマートフォン２０がＳＮＳシステムに投稿されるメッセージ情報に地点情報を付与しない状態にあることをジオタグＯＦＦ状態と呼ぶ。
【００５１】
スマートフォン２０は、初期状態において、アプリケーションを起動させるためのアイコンボタンの一覧を表示部２０１に、例えば、図２に示すようなホーム画面として表示させる。そして、ＳＮＳシステムを利用するためのＳＮＳアプリケーション（例えば、図３に示すホーム画面におけるアイコンボタンＳＮＳ・Ａに対応）が起動されると、メッセージ情報をＳＮＳシステムに送る（投稿する）ことが可能となっている。このスマートフォン２０に接続される車載機器１００は、例えば、図３Ａ及び図３Ｂに示すような処理手順にてスマートフォン２０によるメッセージ情報及び地点情報の投稿を行うように制御する。
【００５２】
図３Ａに示すように、車載機器１００の処理ユニット１１は、車載機器１００のコネクタ１９を介してスマートフォン２０が接続されるか否かを確認する（Ｓ１１）。そして、スマートフォン２０がコネクタ１９を介して車載機器１００に接続されたことが確認されると（Ｓ１１でＹＥＳ）、スマートフォン２０に対して、投稿アプリケーション（ＳＮＳアプリケーションＡ）が起動を確認するための確認要求信号を送信する。その後、処理ユニット１１は、スマートフォン２０から投稿アプリケーションを起動させたことを伝える投稿アプリケーション開始応答信号の送信を確認する（Ｓ１２）。これによって、スマートフォン２０から投稿アプリケーション（ＳＮＳアプリケーションＡ）を開始した旨を示す開始応答信号が送信されると（Ｓ１２でＹＥＳ）、処理ユニット１１は、スマートフォン２０がジオタグＯＮ状態にあるか否かを検出する（Ｓ１３）。
【００５３】
ステップＳ１３によって、スマートフォン２０がジオタグＯＮ状態にあると判定されたときに（Ｓ１３でＹＥＳ）、処理ユニット１１は、自車両の現在位置を取得する（Ｓ１４：車両位置検出手段）。具体的には、車載機器１００内の不図示のＧＰＳユニットによって取得された自車両の現在位置を自車両位置情報として取得する。そして、処理ユニット１１は、予めユーザによって定められた登録地点に関する情報（登録地点情報）を記憶部１４から取得する（Ｓ１５）。なお、ステップＳ１４によって処理ユニット１１は、自車両の現在位置を取得するようにしたが、もちろん、接続されたスマートフォン２０に搭載される不図示のＧＰＳユニットによって取得された地点情報を取得するようにしてもよい。
【００５４】
前述した登録地点は、例えば、ユーザの自宅及び自車両の駐車場、ユーザ自身の勤め先等、他人にその位置を知られることを望まない地点が多く含まれる。このような登録地点の設定は、例えば、図４に示すような地点登録方法選択画面を表示部１３に表示させ、ユーザに選択させることで予め設定されるようになっている。具体的には、登録地点の登録方法は、表示部１３に表示される地図情報（ＭＡＰ）上のから地点登録を望む地点を表示部１３上に構成される操作部１２をユーザがタッチすること、若しくは登録を望む地点の住所を直接入力する等によってなされる。このように、ユーザの自宅位置を個人情報の流出を防止したい地点として選択すると、図５に示すように、自宅位置を登録地点として設定され、登録地点から等距離にある円状のエリア（第２エリア）が設定されるようになっている。
【００５５】
また、車載機器１００の記憶部１４には、図６に示す各種エリアに関するテーブルが記憶されている。例えば、ユーザにより登録すべき地点が選択され記憶部１４に記憶されると、処理ユニット１１は、当該登録地点の地点情報（例えば、ｘ１，ｙ１）に対応する各種エリアごとの住所が検索され記憶されるようになっている。このように、登録地点の地点情報及び当該登録地点の地点情報に対応する各種エリアに係る情報（例えば、住所Ａ１〜Ａｎ）の記憶テーブルに従って、図７に示すように、処理ユニット１１は、登録地点及び各種エリア区分によって区分けした状態で車載機器１００の表示部１３に表示させる。
【００５６】
前述した各種エリアは、３つのエリアによって区分される。各種エリアの区分は、登録地点を含むエリアである第１エリア（隣接ブロック）、第１エリア内であって第１エリアより狭く登録地点を含む第２エリア（直近ブロック）、及び第１エリアの外側の所定範囲である第３エリア（近隣ブロック）を有している。より具体的には、図７に示すように、登録地点である自宅を中心にした円状の第２エリア（直近ブロック）の外側に、第１エリア（隣接ブロック）が形成され、さらにその外側に第３エリア（近隣ブロック）が形成されている。
【００５７】
図３Ａに戻って、処理ユニット１１は、ステップＳ１４で取得した現在位置（スマートフォン２０若しくは自車両の位置）がステップＳ１５で取得した登録地点の含まれる第２エリア内に含まれるか否かを判定する（Ｓ１６：第２エリア判定手段）。これによって、ステップＳ１４で取得したスマートフォン２０の地点情報で表される位置が第２エリア内に含まれると判定されると（Ｓ１６でＹＥＳ）、処理ユニット１１は、スマートフォン２０に対して、ＳＮＳシステムに対するメッセージ情報の送信及び当該メッセージ情報に付与される地点情報の付与を禁止させる投稿不可信号を送信する（Ｓ１７：投稿制御手段）。より具体的には、例えば、ステップＳ１４で取得したスマートフォン２０の地点情報によって表される位置が、図７に示す登録地点Ｔ１であるときに（Ｓ１６でＹＥＳ）、処理ユニット１１は、スマートフォン２０に対して投稿不可信号を送信する。これによって、例えば、スマートフォン２０の表示画面２０１に図８に示すようなメッセージ情報をユーザが入力している際に、図９に示すように当該メッセージの投稿を禁止させる注意勧告が投稿ボタン及び修正ボタンに代えて表示されるようになる。これによって、ユーザに対して当該メッセージの投稿を禁止させることが可能となる。
【００５８】
一方、ステップＳ１４で取得した現在位置（スマートフォン２０若しくは自車両の位置）がステップＳ１５で取得した登録地点の含まれる第２エリア内（直近ブロック）に含まれないと判定されると（Ｓ１６でＮＯ）、処理ユニット１１は、さらにステップＳ１４で取得した現在位置が第２エリアの外側の所定範囲である第１エリア内（隣接ブロック）に含まれるか否かを判定する（Ｓ１８：第１エリア判定手段）。これによって、ステップＳ１４で取得した現在位置（スマートフォン２０の地点情報で表される位置）が第１エリア内に含まれると判定されると（Ｓ１８でＹＥＳ）、処理ユニット１１は、スマートフォン２０に対して、ジオタグ付与禁止制御信号を送信する（Ｓ１９：投稿制御手段）。より具体的には、例えば、ステップＳ１４で取得したスマートフォン２０の地点情報によって表される位置Ｊ１が、図１２に示す登録地点Ｔ１の隣接ブロック（第１エリア内）にあるときに（Ｓ１８でＹＥＳ）、処理ユニット１１は、スマートフォン２０に対してＳＮＳシステムに対するメッセージ情報に付与される地点情報の付与を禁止させるジオタグ付与禁止制御信号を送信する。これによって、例えば、スマートフォン２０の表示画面２０１に図１０に示すようなメッセージ情報をユーザが入力している際に、図１１に示すように当該メッセージ情報に地点情報の付与がされない旨の注意勧告が投稿ボタン及び修正ボタンの上部に表示されるようになる。これによって、ユーザは当該メッセージ情報に地点情報が付与されない旨を認識することが可能となる。
【００５９】
図３Ａに戻って、ステップＳ１４で取得した現在位置（スマートフォン２０若しくは自車両の位置）が第１エリア内（隣接ブロック）に含まれないと判定されると（Ｓ１８でＮＯ）、処理ユニット１１は、さらにステップＳ１４で取得した現在位置が第１エリアの外側の所定範囲である第３エリア内（近隣ブロック）に含まれるか否かを判定する（Ｓ２０：第３エリア判定手段）。これによって、ステップＳ１４で取得した現在位置（スマートフォン２０の地点情報で表される位置）が第３エリア内に含まれると判定されると（Ｓ２０でＹＥＳ）、処理ユニット１１は、表示部１３にＳＮＳシステムに送信されるメッセージ情報に地点情報を付与するか否かの選択を促す選択画面を表示させる（Ｓ２１：選択誘導手段）。より具体的には、例えば、ステップＳ１４で取得したスマートフォン２０の地点情報によって表される位置Ｊ２が、図１３に示す登録地点Ｔ１の近隣ブロック（第３エリア内）にあるときに（Ｓ２０でＹＥＳ）、処理ユニット１１は、図１３に示すように表示部１３の右下部分にＳＮＳシステムに送信されるメッセージ情報にジオタグ（地点情報）を付与するか否かの選択を促すメッセージ及びその選択が可能な操作部１２（ＹＥＳボタン及びＮＯボタン）を表示させる（Ｓ２１）。
【００６０】
これによって、ユーザが操作部１２を操作することによりメッセージ情報にジオタグを付与することを選択すると（Ｓ２２でＹＥＳ）、処理ユニット１１は、スマートフォン２０に対してメッセージ情報及びメッセージ情報に付与される地点情報の送信を制御する何らかの信号を送信することなく次の処理へと移行する。これに対して、ユーザが操作部１２を操作することによりメッセージ情報に自おいタグを付与させないことを選択すると（Ｓ２２でＮＯ）、処理ユニット１１は、前述したステップＳ１９へと移行し、スマートフォン２０に対してＳＮＳシステムに対するメッセージ情報に付与される地点情報の付与を禁止させるジオタグ付与禁止制御信号を送信する（Ｓ１９）。
【００６１】
一方、ステップＳ１４で取得した現在位置（スマートフォン２０若しくは自車両の位置）がステップＳ２０で取得した第３エリア内（近隣ブロック）に含まれないと判定されると（Ｓ２０でＮＯ）、処理ユニット１１は、スマートフォン２０に対してメッセージ情報及びメッセージ情報に付与される地点情報の送信を制御する何らかの信号を送信することなく次の処理へと移行する。また、次の処理へと移行する際にスマートフォン２０がＳＮＳシステムに対してメッセージ情報を投稿している場合に（Ｓ１８でＹＥＳ、Ｓ２０でＹＥＳ、Ｓ２０でＮＯ）、処理ユニット１１は、スマートフォン２０から送信されたメッセージ情報を取得し、表示部１３に表示させるようにしてもよい。具体的には、図１２に示すように、表示部１３の上部にスマートフォン２０からＳＮＳシステムに対して投稿（送信）されたメッセージ情報を表示させる。
【００６２】
そして、処理ユニット１１は、スマートフォン２０が車載機器１００とコネクタ１９を介して接続されているか否かを判定する（Ｓ２３）。これによって、スマートフォン２０と車載機器１００とがコネクタ１９を介して接続されていると判定されると（Ｓ２３でＹＥＳ）、処理ユニット１１は、ステップＳ１４に移行し、前述した処理（Ｓ１４〜Ｓ２３）を繰り返し行う。一方、スマートフォン２０が車載機器１００とコネクタ１９を介して接続されていないと判定されると（Ｓ２３でＮＯ）、処理ユニット１１による処理は終了する。なお、前述したステップＳ１３において、スマートフォン２０がジオタグＯＦＦ状態にあると判定されたときにも（Ｓ１３でＮＯ）、同じく処理は終了する。
【００６３】
このように、車載機器１００に接続されたスマートフォン２０からＳＮＳシステム（メッセージ管理システム）にメッセージ情報及びメッセージ情報に付与される地点情報を投稿（送信）する際に、現在位置（自車両位置もしくはスマートフォン２０の位置）をＧＰＳ機能によって取得し、当該取得された現在位置が第１エリア、第２エリア、及び第３エリアのいずれのエリア内に含まれるのかを判定し（第１エリア判定手段、第２エリア判定手段、及び第３エリア判定手段）、現在位置が第２エリアに含まれると判定された際には、メッセージ情報及びメッセージ情報に付与される地点情報（ジオタグ）の全てについてＳＮＳシステムへの投稿（送信）をスマートフォン２０に禁止させる（投稿制御手段）。また、現在位置が第１エリア内に含まれると判定された際には、メッセージ情報に付与される地点情報（ジオタグ）のＳＮＳシステムへの投稿（送信）を禁止させる（投稿制御手段）。さらに、現在位置が第３エリア内に含まれると判定された際には、車載機器１００の表示部１３にＳＮＳシステム（メッセージ管理システム）に送信されるメッセージ情報に地点情報（ジオタグ）を付与するか否かの選択を促す選択画面を表示させ（選択誘導手段）、ユーザによってメッセージ情報に地点情報を付与さないことが選択されたときには、メッセージ情報に付与される地点情報（ジオタグ）のＳＮＳシステムへの投稿（送信）を禁止させる（投稿制御手段）。従って、他の端末機器等によってメッセージ情報及び地点情報を閲覧される際に、閲覧に供されるメッセージ情報及び地点情報（ジオタグ）から読み取ることが可能な個人情報をより的確に保護することが可能となる。
【００６４】
また、上述する処理において、第２エリアの形状を登録地点を中心とした円状のエリアとしたが、もちろんその形状に限定されるわけではなく、多角形状、矩形状等どのような形状にしてもよい。また、第１エリア及び第３エリアについても、所定の領域の住所にてエリアを設定したが、そのエリアの形状は、前述した第２エリアの形状と同じく、円状、多角形状、矩形状のいずれの形状にしてもよい。さらに、第１エリア、第２エリア、及び第３エリアの全ての形状を同一の形状（全て住所にてエリアを区分するように）にしてもよいし、エリアごとに異なる形状にしてもよい。従って、図１４に示すように、車載機器１００の表示部１３に表示されるように第１エリアＥ２、第２エリアＥ１、及び第３エリアＥ３をすべて矩形状のエリアに区分することもできる。このようにすることで、例えば、図１５に示すように、ＳＮＳシステムに対して送信されるメッセージ情報及びメッセージ情報に付与される地点情報の履歴（図１５の黒丸）から、登録地点（例えば、自宅の場所）を他人から推測されることを防止することが可能となる。
【００６５】
さらに、各種エリアに応じて処理ユニット１１がスマートフォン２０に対する投稿制御処理を異なるようにしたが、例えば、予めエリアを１つだけ設定し、前述したステップＳ１４にて取得した現在位置が当該エリア内に含まれると判定された際に、メッセージ情報及びメッセージ情報に付与する地点情報をＳＮＳシステムに対して送信しないように設定してもよいし、車載機器１００の表示部１３にＳＮＳシステムに送信されるメッセージ情報に地点情報を付与するか否かの選択を促す選択画面を表示させ、ユーザによってメッセージ情報に地点情報を付与しないことが選択されたときにのみ、メッセージ情報に付与される地点情報のＳＮＳシステムへの投稿（送信）を禁止させるようにしてもよい。
【００６６】
図１６に本発明の第２の実施形態に係る車載機器の処理手順を示すフローチャートを示す。この車載機器は、本発明の第１の実施の形態におけるスマートフォン２０に搭載されているＳＮＳシステムにメッセージ情報と共に地点情報を送信するアプリケーションを車載機器１００内に搭載したものである。このような、車載機器においては、図１６に示すように、前述したスマートフォン２０との通信が存在しないため、よりスムーズにＳＮＳシステムに対して投稿されるメッセージ情報及びメッセージ情報に付与される地点情報の投稿制御が可能となる。なお、基本的に各ステップについて前述した第１の実施の形態に係る車載機器システムによる投稿制御処理と同様の処理については同番号を付している。
【００６７】
前述したように、ＳＮＳシステムにメッセージ情報と共に地点情報を送信するアプリケーションを搭載した車載機器によれば、ＳＮＳシステム（メッセージ管理システム）にメッセージ情報及びメッセージ情報に付与される地点情報を投稿（送信）する際に、現在位置（自車両位置）をナビゲーションユニット１８の不図示のＧＰＳ機能によって取得し、当該取得された現在位置が第１エリア、第２エリア、及び第３エリアのいずれのエリア内に含まれるのかを判定し（第１エリア判定手段、第２エリア判定手段、及び第３エリア判定手段）、現在位置が第２エリアに含まれると判定された際には、メッセージ情報及びメッセージ情報に付与される地点情報（ジオタグ）の全てについてＳＮＳシステムへの投稿（送信）を禁止状態にする（投稿制御手段）。また、現在位置が第１エリア内に含まれると判定された際には、メッセージ情報に付与される地点情報（ジオタグ）のＳＮＳシステムへの投稿（送信）を禁止状態にする（投稿制御手段）。さらに、現在位置が第３エリア内に含まれると判定された際には、車載機器１００の表示部１３にＳＮＳシステム（メッセージ管理システム）に送信されるメッセージ情報に地点情報（ジオタグ）を付与するか否かの選択を促す選択画面を表示させ（選択誘導手段）、ユーザによってメッセージ情報に地点情報を付与さないことが選択されたときには、メッセージ情報に付与される地点情報（ジオタグ）のＳＮＳシステムへの投稿（送信）を禁止する（投稿制御手段）。従って、他の端末機器等によってメッセージ情報及び地点情報を閲覧される際に、閲覧に供されるメッセージ情報及び地点情報（ジオタグ）から読み取ることが可能な個人情報をより的確に保護することが可能となる。
【００６８】
なお、前述した第２の実施の形態に係る車載機器の機能を、ナビゲーションアプリケーションを搭載したスマートフォン（携帯端末）において行うようにしてもよい。
【産業上の利用可能性】
【００６９】
以上、説明したように、本発明に係る車載機器システム車載機器システム、車載機器及び携帯端末は、メッセージ情報及び地点情報を閲覧するに際して、閲覧に供されるメッセージ情報及び地点情報から読み取ることが可能な個人情報をより的確に保護することができるという効果を有し、Ｆａｃｅｂｏｏｋ（登録商標）、ツイッター（登録商標）等のソーシャル・ネットワーキング・サービス（ＳＮＳ）を提供するＳＮＳシステム等のように所定のネットワーク（例えば、インターネット）上において端末機器からメッセージ情報の提供を受けて、そのメッセージ情報を他の端末機器での閲覧に供するメッセージ管理システムにメッセージ情報を送るアプリケーションを備えた携帯端末及び当該携帯端末が接続される車載機器を有する車載機器システム、車載機器及び携帯端末として有用である。
【符号の説明】
【００７０】
１１  処理ユニット
１２  操作部
１３  表示部
１４  記憶部
１５  出力回路
１６  スピーカ
１７  ＡＶユニット
１８  ナビゲーションユニット
１９  コネクタ
２０  スマートフォン（端末機器）
１００  車載機器
【図１】
0005963245.tif 000002
【図２】
0005963245.tif 000003
【図３Ａ】
0005963245.tif 000004
【図３Ｂ】
0005963245.tif 000005
【図４】
0005963245.tif 000006
【図５】
0005963245.tif 000007
【図６】
0005963245.tif 000008
【図７】
0005963245.tif 000009
【図８】
0005963245.tif 000010
【図９】
0005963245.tif 000011
【図１０】
0005963245.tif 000012
【図１１】
0005963245.tif 000013
【図１２】
0005963245.tif 000014
【図１３】
0005963245.tif 000015
【図１４】
0005963245.tif 000016
【図１５】
0005963245.tif 000017
【図１６】
0005963245.tif 000018